(57)【要約】  【課題】利用者の好む楽曲の年代を容易に特定できると共に、この年代に地域性を加味し、その時その地域で人気のあった楽曲を容易かつ効率的に選曲できるカラオケ演奏装置の提供。  【解決手段】楽曲の検索方式において、利用者が所望する年代を、利用者の現在年齢または出生年代の入力条件と、利用者が何歳の時あるいは何学年生の時かの入力条件をもって特定すると共に、利用者が所望する地域を、利用者の地域指定をもって特定し、これら特定された年代および地域から、地域別人気楽曲管理テーブルに基づき、検索対象となる楽曲を抽出する楽曲検索モードを設定できるようにした。【選択図】図４
2006154272.tif 000002
【特許請求の範囲】
【請求項１】
利用者が所望するカラオケ楽曲を演奏予約するための利用者インタフェイスと、当該インタフェイスに種々の検索方式にて楽曲を検索するための楽曲検索モードを設定するための検索モード設定手段と、所定の記録部に、地域別に人気のあった楽曲を選定し、年代別に区分けして管理してなる地域別人気楽曲管理テーブルと、を具備してなるカラオケ演奏装置であって、
前記検索モード設定手段が、利用者が所望する年代を、利用者の現在年齢または出生年代の入力条件と、利用者が何歳の時あるいは何学年生の時かの入力条件をもって特定すると共に、利用者が所望する地域を、利用者の地域指定をもって特定し、これら特定された年代および地域から、前記地域別人気楽曲管理テーブルに基づき、検索対象となる楽曲を抽出する楽曲検索モードを設定可能とするカラオケ演奏装置。
【請求項２】
前記利用者インタフェイス、検索モード設定手段、および地域別人気楽曲管理テーブルが、その付帯するリモコン装置内に組み込まれてなる請求項１記載のカラオケ演奏装置。
【発明の詳細な説明】
【技術分野】
【０００１】
本発明は、種々の検索方式による楽曲の検索機能を有したカラオケ演奏装置に関し、さらに詳しくは、利用者の好む年代に地域性を加味し、その時その地域で人気のあった楽曲を抽出して選曲できるカラオケ演奏装置に関する。
【背景技術】
【０００２】
従来、利用者が所望するカラオケ楽曲を演奏予約するため、利用者は楽曲を特定するための楽曲コードを目次本から見つけ出し、この楽曲コードを直接入力していた。その後、カラオケ演奏装置、特にその付帯するリモコン装置には楽曲索引データベースが内蔵されるようになり、収納するカラオケ楽曲についての属性情報を格納して管理し、このデータベースに与えられる検索キーワードの属性情報に応じて、曲名検索、歌手名検索、年代検索、グループ名検索、新譜検索、デュエット検索、ジャンル検索などといった種々の検索方式にて楽曲を検索するための楽曲検索モードが設定されたことで、利用者は容易かつ効率的に所望するカラオケ楽曲を選曲できるようになった。
【０００３】
利用者が入力した検索キーワードを属性情報に関するクエリーとして、この楽曲索引データベースを用いて検索すると、検索対象となったカラオケ楽曲については、その曲名や歌手名あるいは楽曲コードなどの属性情報を伴って一覧表示される。そして、利用者が所望するカラオケ楽曲が最終的に選曲されたならば、その楽曲コードを演奏予約するためのリモコン信号として所定のカラオケ演奏装置に転送し、カラオケ演奏装置がこのリモコン信号を受信すると、その信号に含まれている楽曲コードは演奏予約の待ち行列として管理され、ピックアップされた楽曲コードに対応するカラオケ楽曲が順次演奏される。
【０００４】
従来、その検索方式についての発明も多々想到されてきた。例えば、特許文献１では、かな文字入力による曲名もしくは歌手名による検索により充分に楽曲を絞り込むことができなかった場合、曲名もしくは歌手名により既に選出した楽曲に対し、さらに年代などの属性により楽曲を絞り込むこともできるようにした技術が開示されている。また、特許文献２では、利用者入力によりアーティスト名が特定された場合、楽曲アルバムデータベースを用いて、各アルバムジャケット画像をアルバムタイトルと一緒に一覧表示し、利用者が所望する楽曲アルバムが特定されると、その楽曲アルバムに収録されている楽曲のタイトルを一覧表示する技術が開示されている。さらに、特許文献３では、検索条件となる年代を特定する際、利用者の現在の年齢または生まれた年代を入力すると共に、検索対象となる年代が利用者にとって何歳時あるいは何年生時かを入力すると、これらの入力に基づき、検索対象となる年代を特定する技術が開示されている。
【０００５】
【特許文献１】特開２０００−０９９０４８号公報
【特許文献２】特開２００２−３５１４７９号公報
【特許文献３】特開２００３−１４０６６９号公報
【発明の開示】
【発明が解決しようとする課題】
【０００６】
ところで、上記検索方式の中でも、曲名検索や歌手名検索に次いで、利用者は自分の好む年代からカラオケ楽曲を選曲する検索方式が多用されている。具体的には、例えば、図１０は年代別人気楽曲データを保持したカラオケ演奏装置における、従来の年代検索方式に基づく検索画面であるが、この年代検索モードのトップ画面（ア）には、「年代検索」と称された年代検索用のアイコン設定部（５０）が設けられ、これには「年齢で調べる」アイコン（５０ａ）と「暦年で調べる」アイコン（５０ｂ）とが併設されており、前者は年代を利用者の年齢から間接的に特定し、後者は年代を暦年から直接的に特定するものである。
【０００７】
具体的な検索手順としては、例えば、利用者が「年齢で調べる」アイコン（５０ａ）を選択すると、その検索画面（イ）が表出し、利用者は現在年齢入力部（５１ａ）に自らの現在年齢を入力し、さらに、その利用者が所望する年代を、その利用者が何歳の時の年代かをもって特定するための過去年齢入力部（５２ａ）に利用者が所望する自らの過去年齢を入力することで、その年代に流行った人気のある楽曲が検索できる。また、検索画面（ウ）は別の検索画面であって、出生年代入力部（５１ｂ）に自らの出生年代（西暦下２桁）を入力し、さらに、利用者が所望する年代を、その利用者が何学年生の時の年代かを特定するための過去学年入力部（５２ｂ）に学年、例えば「小学」、「中学」、「高校」、「大学」などを、リストボックス（図示省略）にて選択入力すると、その年代に流行った人気のある楽曲が検索できる。
【０００８】
利用者の好む楽曲の年代は個人によってだいたい決まっているものであり、このような年代検索方式は、カラオケ利用者にとって、特に思い出の曲をリクエストしたい場合には重宝な検索方式となっている。ただし、人気のあった楽曲には地域性を伴うことが多々ある。すなわち、関西と関東あるいは北国と南国の嗜好の違いや、特定の地域にのみ流行った楽曲など、楽曲の人気度は地域と深く関わっている。しかしながら、従来の年代検索方式では、地域性については全く考慮されておらず、この点で十分に利用者の満足を満たすものではなかった。
【０００９】
そこで、本発明は、上記不都合を解消するために想到されたもので、すなわち、利用者の好む楽曲の年代を容易に特定できると共に、この年代に地域性を加味し、その時その地域で人気のあった楽曲を容易かつ効率的に選曲できるカラオケ演奏装置の提供を課題とする。
【課題を解決するための手段】
【００１０】
上記課題を鑑み、本発明者は、利用者が所望する年代を、利用者の現在年齢または出生年代の入力条件と、利用者が何歳の時あるいは何学年生の時かの入力条件をもって特定すると共に、利用者が所望する地域を、利用者の地域指定をもって特定し、これら特定された年代および地域から、検索対象となる楽曲を抽出する楽曲検索モードを設定できるカラオケ演奏装置を提供することで、上記課題を解決できることを見出し、本発明の検索機能を有したカラオケ演奏装置を想到した。
【００１１】
すなわち、本発明の請求項１記載のカラオケ演奏装置は、利用者が所望するカラオケ楽曲を演奏予約するための利用者インタフェイスと、当該インタフェイスに種々の検索方式にて楽曲を検索するための楽曲検索モードを設定するための検索モード設定手段と、所定の記録部に、地域別に人気のあった楽曲を選定し、年代別に区分けして管理してなる地域別人気楽曲管理テーブルと、を具備してなるカラオケ演奏装置であって、
前記検索モード設定手段が、利用者が所望する年代を、利用者の現在年齢または出生年代の入力条件と、利用者が何歳の時あるいは何学年生の時かの入力条件をもって特定すると共に、利用者が所望する地域を、利用者の地域指定をもって特定し、これら特定された年代および地域から、前記地域別人気楽曲管理テーブルに基づき、検索対象となる楽曲を抽出する楽曲検索モードを設定可能とすることを特徴とする。
【００１２】
また、本発明の請求項２記載のカラオケ演奏装置は、請求項１記載のカラオケ演奏装置において、前記利用者インタフェイス、検索モード設定手段、および地域別人気楽曲管理テーブルが、その付帯するリモコン装置内に組み込まれてなることを特徴とする。
【発明の効果】
【００１３】
したがって、本発明の請求項１記載のカラオケ演奏装置によれば、地域別人気楽曲管理テーブルに基づき、利用者が所望する年代を、利用者の現在年齢または出生年代の入力条件と、利用者が何歳の時あるいは何学年生の時かの入力条件をもって特定すると共に、利用者が所望する地域を特定することで、例えば、利用者がその年代に何処に住んでいたという点なども考慮できるため、利用者の好む年代に地域性が加味され、その時その地域で人気のあった楽曲を容易かつ効率的に選曲できるといった効果を奏する。
【００１４】
また、本発明の請求項２記載のカラオケ演奏装置によれば、利用者インタフェイス、検索モード設定手段、および地域別人気楽曲管理テーブルが、その付帯するリモコン装置に組み込まれているため、利用者はカラオケ歌唱を阻害することなく、当該リモコン装置を手元に置いて楽曲を効率的に選曲でき、利便性に優れるといった効果を奏する。
【発明を実施するための最良の形態】
【００１５】
以下、本発明の検索機能を有したカラオケ演奏装置について、先ず、図１に示す、本発明のカラオケ演奏装置のブロック構成図と、図２に示す、地域別人気楽曲管理テーブルの概念的構成図に基づき、本発明を詳述する。
【実施例１】
【００１６】
本実施例のカラオケ演奏装置（１）は、主に、カラオケ装置全体を統括的に制御する中央制御手段（２）とこれに接続された各種機器にて構成されている。すなわち、この中央制御手段（２）は、カラオケホスト装置（図示省略）との通信を制御するための通信制御手段（１２）、その付帯するリモコン装置（Ｒ）の利用者インタフェイスからの操作信号を制御するための操作制御手段（１３）などを制御すると共に、ハードディスク（３）、ＲＡＭ（４）、音源（５）、ミキサ（６）、サウンドシステム（７）、ＰＣＭデコーダ（８）、ＭＰＥＧデコーダ（１０）、合成回路（１１）などが接続されている。
【００１７】
ここで、カラオケ演奏装置（１）の構成要素について少々詳述する。先ず、音源（５）は、中央制御手段（２）が実行するシーケンサ（１４）における楽曲シーケンサの処理によって入力された演奏データに応じて楽音信号を形成する。形成された楽音信号はミキサ（６）に入力され、このミキサ（６）は、音源（５）が発生した複数の楽音信号やカラオケマイク（Ｍ）と、Ａ／Ｄコンバータ（９）を介して入力された利用者の歌唱音声信号を適当なバランスでミキシングする。ミキシングされたデジタル音声信号はサウンドシステム（７）に入力される。このサウンドシステム（７）はパワーアンプを備え、入力されたデジタル信号をアナログ信号に変換して増幅し、スピーカ（Ｓ）から楽音と歌唱音声を放音する。
【００１８】
ハードディスク（３）に記録されている映像データ（１９）は、ＭＰＥＧ形式にエンコードされており、中央制御手段（２）が実行する背景映像再生手段（図示省略）により再生処理を行い、これを読み出してＭＰＥＧデコーダ（１０）に入力する。このＭＰＥＧデコーダ（１０）は入力されたＭＰＥＧデータをＮＴＳＣの映像信号に変換して合成回路（１１）に入力し、この合成回路（１１）はこの背景映像の映像信号上に歌詞テロップや採点表示などのＯＳＤを合成し、合成された映像信号は表示手段（Ｄ）に表示される。
【００１９】
シーケンサ（１４）は楽曲コードで識別される演奏データをハードディスク（３）に記録されている楽曲コード（１７）に紐付けされた演奏データ（１８）を読み出す。このシーケンサ（１４）は主に楽曲シーケンサおよび歌詞シーケンサからなっており、楽曲シーケンサは演奏データ中の演奏データトラック、ガイドメロディトラックなどのトラックデータを読み出し、このデータで音源（５）を制御することでカラオケ楽曲の演奏を行い、一方、歌詞シーケンサは文字パターン作成手段を備えており、演奏データ中の歌詞トラックのデータを読み出し、このデータに基づいて歌詞テロップの画像パターンを作成して、これを合成回路（１１）に出力する。
【００２０】
そして、本実施例のカラオケ演奏装置には、その利用者インタフェイス、検索モード設定手段、および地域別人気楽曲管理テーブルがカラオケ演奏装置本体およびその付帯するリモコン装置内の両方に組み込まれている。なお、本発明はこれに限らず、どちらか一方でも構わないが、この場合でも、利便性を考慮するとリモコン装置内に組み込まれている方が好ましい。
【００２１】
利用者インタフェイス（１６）は、利用者が所望するカラオケ楽曲を演奏予約するために主に利用され、当該インタフェイス（１６）には、種々の検索方式にて楽曲を検索するための楽曲検索モードが設定される。そして、本発明の楽曲検索モードは、ハードディスク（３）に記録された、地域別に人気のあった楽曲を選定し、そのカラオケ楽曲を特定する楽曲コードを紐付けし、さらに、これらを年代別に区分けして管理してなる地域別人気楽曲管理テーブル（Ｔ）に基づき、利用者の要求に応じて検索モード設定手段（１５）が設定する。利用者はこの楽曲検索モードの表示画面を、カラオケ演奏装置本体が付帯する表示手段（Ｄ）や、後述するリモコン装置（Ｒ）のＬＣＤに映し出し、所定の操作により検索対象となる楽曲が抽出できる。
【００２２】
ここで、図２に基づき、本発明の地域別人気楽曲管理テーブルについて説明する。本実施例の地域別人気楽曲管理テーブル（Ｔ）は、地域別として日本全国の各都道府県を特定するための「地域」フィールド（ｆ１）と、予め地域毎に選定した人気のあった楽曲を特定するための「楽曲コード」フィールド（ｆ３）と、さらに、この人気のあった楽曲を年代区分し、それぞれの楽曲に対応した年代を示す「年代」フィールド（ｆ２）などから構成されている。人気のあった楽曲は、その地域での各年のレコードやＣＤの売上げやカラオケや有線放送のリクエスト頻度などに基づき、その時に流行ったものが選定され、適宜のタイミングにて、当該データが追加・変更・削除されるが、同一楽曲が複数年度に亘って選定される場合もある。
【実施例２】
【００２３】
次に、図３に示す、カラオケ演奏装置が付帯するリモコン装置の正面斜視図と、図４に示す、カラオケリモコン装置のブロック構成図に基づき、本発明の請求項２に記載のカラオケ演奏装置について詳述する。
【００２４】
カラオケ演奏装置が付帯するリモコン装置も多機能化が進み、実質的に携帯可能なハンドヘルド型あるいはパームトップ型のコンピュータと同等なハードウエアに、楽曲検索機能やデジタルカメラ機能やインターネットを介してデータ通信する機能などを備えた携帯型コンピュータに変貌し、ＬＡＮを通じて店舗内のコンピュータと通信したり、インターネットを介した通信を行ったりすることも使用形態の一部となっている。そして、本実施例では、このリモコン装置内に利用者インタフェイス、検索モード設定手段、および地域別人気楽曲管理テーブルが組み込まれている。
【００２５】
図３に示すように、その正面には液晶ディスプレイ（ＬＣＤ；Ｒａ）とタッチセンサ（Ｒｂ）とを積層したタッチパネルを主体とした利用者インタフェイスが備えられている。そして、図４に示すように、内蔵するフラッシュメモリ（２１）には、カラオケ楽曲の曲名データ、歌手名データ、歌詞の唄い出し部データなどが、その属性情報として楽曲コードに対応付けして格納され、所定の検索エンジンと共に楽曲索引データベース（ＤＢ）を構築しており、本発明の地域別人気楽曲管理テーブル（Ｔ）についても、このデータベースに紐付けされて記録されている。
【００２６】
さらに、このリモコン装置（Ｒ）には、カラオケ演奏装置本体（Ｐ）と同様に、中央制御手段（２０）やＲＡＭ、ＲＯＭ、ビデオＲＡＭ（図示省略）なども含まれており、検索モード設定手段（２５）により設定された楽曲検索モードの表示画面は、利用者によるタッチセンサ（Ｒｂ）からの操作入力情報を受け取ると、内部のＲＯＭ（図示省略）に用意されている画像データやこの画像データに操作入力情報に応じた処理結果を反映させた画像データをビデオＲＡＭ（図示省略）にビットマップ展開すると共に、ＬＣＤドライバ（図示省略）を制御してこのビットマップ画像をＬＣＤ（Ｒａ）に表示出力させる。それにより、利用者に利用者インタフェイスとして、ＧＵＩ（Graphical
User Interface）環境を提供し、このＧＵＩ環境による対話を通じて楽曲索引データベース（ＤＢ）を検索し、その結果を表示出力させることで検索機能を実現している。なお、この楽曲索引データベース（ＤＢ）はこのリモコン装置（Ｒ）が専用架台（Ｃ）に装着された状態、あるいは、無線ＬＡＮ方式にて、通信制御手段（２２）を介してカラオケ演奏装置本体（Ｐ）と通信することで適時に更新される。
【００２７】
そして、中央制御手段（２０）は、この検索機能によって最終的に１つのカラオケ楽曲を指定した状態で、その楽曲を演奏予約する旨の利用者入力があれば、該当の楽曲コードを含んだ信号を生成し、その信号をＬＥＤドライバ（図示省略）に転送する。ＬＥＤドライバは、この信号を変調してＬＥＤに与えて、対応するカラオケ演奏装置本体（Ｐ）に演奏予約のための無線信号（Ｉｒ信号）としてこれを転送する。カラオケ演奏装置本体（Ｐ）は受け付けた楽曲コードを演奏予約の待ち行列に登録し、この楽曲コードに対応するカラオケ楽曲を順次演奏する。
【００２８】
以下、図５に示す、本発明の年代検索方式に基づく検索画面と、図６に示す、本発明の楽曲検索モードに基づく検索結果の表示画面に基づき、本発明における楽曲検索モードについて、さらに詳述する。
【００２９】
図示は省略するが、利用者は、先ず、検索キーワードの属性情報に応じ、曲名検索、歌手名検索、年代検索、グループ名検索、新譜検索、デュエット検索、ジャンル検索などといった種々の検索方式にて楽曲を検索するための楽曲検索モードの選択画面を表出させ、続いて、その選択画面にて本発明の年代検索を選択すると、図５に示すように、本発明の年代検索方式に基づく検索画面が表出する。
【００３０】
以下、この年代検索方式に基づく検索手順について、図５の（ア）〜（ウ）に基づき説明する。先ず、この年代検索モードのトップ画面（ア）には、前述した従来の年代検索画面と同様に「年代検索」と称された年代検索用のアイコン設定部（３０）が設けられ、これには「年齢で調べる」アイコン（３０ａ）と「暦年で調べる」アイコン（３０ｂ）とが併設されており、前者は利用者の当時の年齢から間接的に特定し、後者は年代を暦年から直接的に特定する。
【００３１】
そして、利用者が「年齢で調べる」アイコン（３０ａ）を選択すると、その検索画面（イ）が表出し、所定のテンキーをもって、利用者は現在年齢入力部（３１ａ）に自らの現在年齢を入力した後、その利用者が所望する年代を、その利用者が何歳の時の年代かをもって特定するための過去年齢入力部（３２ａ）に、利用者が所望する自らの過去年齢を入力し、さらに、日本全国の都道府県が選択できるリストボックスからなる選択地域入力部（３３）にて所望の地域を選択すると、前述した地域別人気楽曲管理テーブルに基づき、その時その地域にて流行った人気のある楽曲が検索できる。また、検索画面（ウ）は別の検索画面であって、出生年代入力部（３１ｂ）に自らの出生年代（西暦下２桁）を入力した後、さらに、利用者が所望する年代を、その利用者が何学年生の時の年代かを特定するための過去学年入力部（３２ｂ）に学年、例えば「小学」、「中学」、「高校」、「大学」などを、地域選択と同様にリストボックス（図示省略）にて選択入力すると、その時その地域にて流行った人気のある楽曲が検索できる。なお、本実施例では、地域を日本全国の都道府県にしているが、本発明はこれに限定されず、例えば、関東、関西、中国、四国…などといった広い地域レベルでも、あるいは、市町村レベルに細分化した地域レベルであっても構わない。
【００３２】
この条件にて検索結果が出ると、次に、図６に示すように、検索結果表示画面が表出される。この表示画面には地域別年代表示部（４０）が設けられ、この表示部（４０）は、年代表示部（４０ａ）と地域表示部（４０ｂ）が併記され、その地域におけるその年代の人気楽曲が抽出され、その楽曲情報（曲名・歌手名）を含む検索結果一覧（４１）が表示される。そして、その検索結果一覧（４１）の中から、利用者が所望する楽曲指定用アイコン（４１ａ）を選択して楽曲指定すると、図示は省略するが、曲名、歌手名、唄い出し部、年代といった属性情報列からなる指定楽曲の属性情報表示画面が表出され、所定の操作により、対応するカラオケ演奏装置本体に、この指定楽曲の演奏予約のための無線信号が転送される。
【００３３】
以上、詳述したように、本発明の検索機能を有したカラオケ演奏装置によれば、地域別人気楽曲管理テーブルに基づき、利用者が所望する年代を、利用者の現在年齢または出生年代の入力条件と、利用者が何歳の時あるいは何学年生の時かの入力条件をもって特定すると共に、利用者が所望する地域を特定することで、利用者の好む年代に地域性が加味され、その時その地域で人気のあった楽曲を容易かつ効率的に選曲できる。
【図面の簡単な説明】
【００３４】
【図１】本発明のカラオケ演奏装置のブロック構成図。
【図２】地域別人気楽曲管理テーブルの概念的構成図。
【図３】カラオケ演奏装置が付帯するリモコン装置の正面斜視図。
【図４】カラオケリモコン装置のブロック構成図。
【図５】本発明の年代検索方式に基づく検索画面。
【図６】本発明の楽曲検索モードに基づく検索結果の表示画面。
【図７】従来の年代検索方式に基づく検索画面。
【符号の説明】
【００３５】
１  カラオケ演奏装置
２，２０  中央制御手段
３  ハードディスク
１５，２５  検索モード設定手段
１６，２６  利用者インタフェイス
２１  フラッシュメモリ
３１ａ  現在年齢入力部
３１ｂ  出生年代入力部
３２ａ  過去年齢入力部
３２ｂ  過去学年入力部
３３  選択地域入力部
Ｒ  カラオケリモコン装置
Ｔ  地域別人気楽曲管理テーブル
ＤＢ  楽曲索引データベース
【図２】
2006154272.tif 000003
【図３】
2006154272.tif 000004
【図４】
2006154272.tif 000005
【図５】
2006154272.tif 000006
【図６】
2006154272.tif 000007
【図７】
2006154272.tif 000008
【図１】
2006154272.tif 000009